(57)【要約】【課題】角線端子がコネクタハウジングに圧入される際に、端子の位置精度を向上させる技術を提供する。【解決手段】図６（ｂ）に示す様に、前側位置矯正用突起７０ａが第２ガイド部３２ｂとキャビティ本体３１の上面との境界部分に当たる。位置矯正用突起７０を含めた端子本体５１の高さがキャビティ部３０のキャビティ本体３１の高さと略同一に設定されている。したがって、前側位置矯正用突起７０ａがキャビティ本体３１の上面と当たることで、端子本体５１の下面５４がキャビティ本体３１の底面に接するような力が作用し、位置矯正がなされる。【選択図】図６
2016024857.tif 000002
【特許請求の範囲】
【請求項１】
コネクタハウジングと、前記コネクタハウジングのキャビティ部に圧入され保持される角線端子とを備えるコネクタであって、
前記角線端子は、
前記コネクタハウジングへの端子挿入方向に対して垂直な対向する二つの面に突出して形成されて、前記キャビティ部に圧入される圧入部と、
前記圧入部の近傍であって、前記圧入部が設けられる面とは異なる一つの面に前記圧入部を挟むように形成された少なくとも二つの凸状部と、
を備えることを特徴とするコネクタ。
【請求項２】
前記圧入部は、挿入方向の前側に位置する第１の圧入部と後側に位置する第２の圧入部とを並んで備えており、
前記凸状部は、前記第１の圧入部の前側に設けられた第１の凸状部と、前記第２の圧入部の後側に設けられた第２の凸状部とを備えることを特徴とする請求項１に記載のコネクタ。
【請求項３】
前記キャビティ部へ前記角線端子の挿入開始を案内するテーパ状の開口である挿入ガイド部を備え、
前記角線端子の圧入方向と垂直な方向であって、前記凸状部における前記角線端子の高さは、前記圧入方向と垂直な方向における前記キャビティ部の高さよりも高く、前記挿入ガイド部の開口の高さより低いことを特徴とする請求項２に記載のコネクタ。
【発明の詳細な説明】
【技術分野】
【０００１】
本発明は、自動車等に搭載される各種機器の電機接続に使用されるコネクタに係り、コネクタハウジングとそのコネクタハウジングに圧入される角線端子とを備えるコネクタに関する。
【背景技術】
【０００２】
従来より、金属の角線材からなる基板用端子を、コネクタハウジングに形成された端子保持孔に圧入して保持するコネクタの構造について種々のものが提案されている。
【０００３】
例えば、コネクタハウジングの端子保持穴に圧入しても縦方向のガタ付きがなく、保持力が低下しない角線材（角線端子）を使用した基板用の端子構造がある（例えば特許文献１参照）。具体的には、基板用端子（角線端子）の中間部に、端子保持穴に保持される係止部の横方向の両側部に端子保持穴の両側壁に圧入されるように形成された一対の第１係止突起が２組設けられている。２組の第１係止突起間に縦方向の天壁又は底壁に圧入されるように形成された縦長の断面楕円形状である第２係止突起が設けられている。
【０００４】
また、上記の技術を改良し、端子保持力を低下させることなく、簡易な構造で端子を確実に保持することができるようにした技術もある（例えば特許文献２参照）。
【先行技術文献】
【特許文献】
【０００５】
【特許文献１】特開２０００−２４３４９５号公報
【特許文献２】特開２００５−３４００６８号公報
【発明の概要】
【発明が解決しようとする課題】
【０００６】
図９にコネクタハウジング１２０のキャビティ部１３０に角線端子１５０が挿入された状態のコネクタを示す。図９（ｂ）は、図９（ａ）の一部領域Ｂ１を拡大したものである。一般に、図示のようにキャビティ部１３０と角線端子１５０とのクリアランスが必要である。ここではキャビティ上面１３１と端子上面１５１との間のクリアランスΔ１やキャビティ測面１３２と端子測面１５２との間のクリアランスΔ２で示している。クリアランスが無いと、端子挿入時にキャビティ部１３０と角線端子１５０とが常時接触しながら挿入され、その接触圧が非常に大きくなる。その結果、角線端子１５０から金属バリが発生し、導通不良に繋がる虞がある。一方で、クリアランスがあることで、位置精度が出ないという課題があった。つまり、例えば特許文献１や特許文献２に開示の技術では、キャビティ部に角線端子を挿入した場合、左右方向は圧入形状があるため、端子はセンタリングされるが，上下方向には圧入形状が無いため圧入状態にならず、位置精度の観点で改良の余地があった。一方、上下左右の全方向に圧入部（圧入形状）を設けると、端子挿入力が極端に増大し、組み付け不良の懸念が出てくる。すなわち、クリアランスが無い構造と同様の課題が生じ、別の技術が必要とされていた。
【０００７】
本発明の目的は、このような状況に鑑みてなされたものであり、上記課題を解決する技術を提供することにある。
【課題を解決するための手段】
【０００８】
本発明は、コネクタハウジングと、前記コネクタハウジングのキャビティ部に圧入され保持される角線端子とを備えるコネクタであって、前記角線端子は、前記コネクタハウジングへの端子挿入方向に対して垂直な対向する二つの面に突出して形成されて、前記キャビティ部に圧入される圧入部と、前記圧入部の近傍であって、前記圧入部が設けられる面とは異なる一つの面に前記圧入部を挟むように形成された少なくとも二つの凸状部と、を備える。
また、前記圧入部は、挿入方向の前側に位置する第１の圧入部と後側に位置する第２の圧入部とを並んで備えており、前記凸状部は、前記第１の圧入部の前側に設けられた第１の凸状部と、前記第２の圧入部の後側に設けられた第２の凸状部とを備えてもよい。
また、前記キャビティ部へ前記角線端子の挿入開始を案内するテーパ状の開口である挿入ガイド部を備え、前記角線端子の圧入方向と垂直な方向であって、前記凸状部における前記角線端子の高さは、前記圧入方向と垂直な方向における前記キャビティ部の高さよりも高く、前記挿入ガイド部の開口の高さより低くてもよい。
【発明の効果】
【０００９】
本発明によれば、角線端子がコネクタハウジングに圧入される際に、端子の位置精度を向上させる技術を提供することができる。
【図面の簡単な説明】
【００１０】
【図１】実施形態に係る、コネクタの概略構成を示す斜視図である。
【図２】実施形態に係る、ハウジングの斜視図である。
【図３】実施形態に係る、角線端子の斜視図である。
【図４】実施形態に係る、角線端子において圧入部形成されている領域を拡大して示す斜視図である。
【図５】実施形態に係る、角線端子における圧入部を拡大して示す側面図である。
【図６】実施形態に係る、ハウジングのキャビティ部に角線端子を挿入するプロセスを示す図である。
【図７】実施形態に係る、キャビティ部に角線端子を挿入している途中における圧入部を拡大して示す縦方向の断面図である。
【図８】実施形態に係る、キャビティ部に角線端子が挿入完了したときの圧入部を拡大して示す縦方向の断面図である。
【図９】背景技術に係る、コネクタハウジングのキャビティ部に角線端子が挿入された状態のコネクタを示す図である。
【発明を実施するための形態】
【００１１】
以下、発明を実施するための形態（以下、「実施形態」という）を、図面を参照しつつ説明する。
【００１２】
図１は本実施形態に係るコネクタ１０の概略構成を示す斜視図である。ここでは、角線端子５０が挿入される一部の構造に着目して示している。
【００１３】
図示のように、コネクタ１０は、ハウジング２０と角線端子５０とを備える。ハウジング２０には、端子保持穴である断面略矩形のキャビティ部３０が形成されている。このキャビティ部３０に角線端子５０が圧入されて保持される。
【００１４】
図２は、ハウジング２０の斜視図である。キャビティ部３０は、ハウジング２０の前面部２１と後面部２２とを貫通したキャビティ本体３１と、後面部２２側において開口側が広がる斜面となった挿入ガイド部３２とを備える。挿入ガイド部３２から角線端子５０（端子端部５１ａ）が挿入される。挿入ガイド部３２は開口側の第１ガイド部３２ａと奥側の第２ガイド部３２ｂとから構成されている。
【００１５】
図３は、角線端子５０の斜視図である。また、図４は、角線端子５０において、圧入部６０が形成されている領域を拡大して示す斜視図であって、図３の一部領域Ａ１を拡大したものである。さらに、図５は、角線端子５０における圧入部６０を拡大して示す側面図である。
【００１６】
圧入部６０は、端子挿入方向前側の第１圧入部６１と、端子挿入方向後側の第２圧入部６２とを備える。第１圧入部６１と第２圧入部６２とは所定距離（面５５）を挟んで前後に並んでそれぞれ横方向に側面部５２から突出する形状で形成されている。第１圧入部６１と第２圧入部６２のそれぞれの前後方向の長さは略同一である。
【００１７】
第１圧入部６１は、左右対称に両側面にそれぞれ形成されている。また、第１圧入部６１は、上下対称に２段に形成されている。ここでは、第１圧入部６１は、上側の第１上側圧入部６１ａと下側の第１下側圧入部６１ｂとを備える。第１上側圧入部６１ａと第１下側圧入部６１ｂの上下中間領域（即ち境界領域）は略Ｖ字状の溝となっている。ただし、この溝は、略Ｖ字状に限る趣旨ではなく、Ｕ字形状等他の形状であってもよい。
【００１８】
また、第１上側圧入部６１ａの上面は、端子本体５１の上面部５３と平行であって、上面部５３より所定距離下に位置する面として形成されている。また、第１下側圧入部６１ｂの下面は、端子本体５１の下面部５４と平行であって、下面部５４より所定距離上に位置する面として形成されている。
【００１９】
同様に、第２圧入部６２は、左右対称に両側面にそれぞれ形成されている。また、第２圧入部６２は、上下対称に２段に形成されている。ここでは、第２圧入部６２は、上側の第２上側圧入部６２ａと下側の第１下側圧入部第２下側圧入部６２ｂとを備える。第２上側圧入部６２ａと第２下側圧入部６２ｂの上下中間領域（即ち境界領域）は略Ｖ字状の溝となっている。ただし、この溝は、略Ｖ字状に限る趣旨ではなく、Ｕ字形状等他の形状であってもよい。
【００２０】
また、第２上側圧入部６２ａの上面は、端子本体５１の上面部５３と平行であって、上面部５３より所定距離下に位置する面として形成されている。またさらに、第２下側圧入部６２ｂの下面は、端子本体５１の下面部５４と平行であって、下面部５４より所定距離上に位置する面として形成されている。
【００２１】
なお、図示のように、第２上側圧入部６２ａの上面は、第１上側圧入部６１ａの上面より若干上に位置するように形成されている。また、第２下側圧入部６２ｂは、第１下側圧入部６１ｂの下面より若干下に位置するように形成されている。また、第２上側圧入部６２ａと第２下側圧入部６２ｂの境界領域の略Ｖ字状の溝が、第１上側圧入部６１ａと第１下側圧入部６１ｂの境界領域の略Ｖ字状の溝より若干広い形状になっている。即ち、第２上側圧入部６２ａと第２下側圧入部６２ｂの最先端部分が、第１上側圧入部６１ａと第１下側圧入部６１ｂの最先端部分より、それぞれ上下にずれた構成となっている。
【００２２】
圧入部６０が形成される領域では、第１圧入部６１の上方及び下方は第１圧入部６１の上面及び下面、より詳しくは第１上側圧入部６１ａの上面と第１下側圧入部６１ｂの下面が露出するように凹部５６が形成されている。同様に、第２圧入部６２の上方及び下方は第２圧入部６２の上面及び下面、より詳しくは第２上側圧入部６２ａの上面と第２下側圧入部６２ｂの下面が露出するように凹部５７が形成されている。
【００２３】
圧入部６０の前後の近傍には、二つの位置矯正用突起７０（前側位置矯正用突起７０ａ、後側位置矯正用突起７０ｂ）が形成されている。位置矯正用突起７０を含めた端子本体５１の高さがキャビティ部３０のキャビティ本体３１の高さと略同一に設定されている。
【００２４】
具体的には、端子本体５１の上面部５３において、第１圧入部６１より前側に横方向に所定深さで曲面の曲状凹部７１が形成されている。曲状凹部７１の略中央に所定幅で曲面凸状の位置前側矯正用突起７０ａが形成されている。また、端子本体５１の上面部５３において、第２圧入部６２より後側に横方向に所定深さで曲面の曲状凹部７１が形成されている。曲状凹部７１の略中央に所定幅で曲面凸状の後側位置矯正用突起７０ｂが形成されている。
【００２５】
図６は、ハウジング２０のキャビティ部３０に角線端子５０を挿入するプロセスを示す図である。図６（ａ）は挿入前の状態の縦方向の断面図、図６（ｂ）は挿入途中の状態の縦方向の断面図、図６（ｃ）は挿入完了時の状態の縦方向の断面図を示している。図７は、キャビティ部３０に角線端子５０を挿入している途中における圧入部６０を拡大して示す縦方向の断面図であって、図６（ｂ）の破線で示す領域Ａ２を拡大して示している。図８は、キャビティ部３０に角線端子５０が挿入完了したときの圧入部６０を拡大して示す縦方向の断面図であって、図６（ｃ）の破線で示す領域Ａ３を拡大して示している。
【００２６】
図６（ａ）に示す様に、角線端子５０は、端子端部５１ａからキャビティ部３０の挿入ガイド部３２に挿入される。その後、図６（ｂ）や図７に示す様に、前側位置矯正用突起７０ａが第２ガイド部３２ｂとキャビティ本体３１の上面３１ａとの境界部分に当たる。上述の様に、位置矯正用突起７０を含めた端子本体５１の高さがキャビティ部３０のキャビティ本体３１の高さと略同一に設定されている。したがって、前側位置矯正用突起７０ａがキャビティ本体３１の上面３１ａと当たることで、端子本体５１の下面５４がキャビティ本体３１の底面３１ｂに接するような力が作用する。
【００２７】
さらに、角線端子５０を挿入すると、図６（ｃ）や図８に示すように、前後の位置矯正用突起７０（前側位置矯正用突起７０ａ、後側位置矯正用突起７０ｂ）がキャビティ本体３１の上面３１ａに当接するので、圧入部６０の前後に均等な力で端子本体５１の下面５４がキャビティ本体３１の底面３１ｂに接するように、角線端子５０の位置を適正に矯正する力が作用する。
【００２８】
このような作用によって、角線端子５０のキャビティ部３０への圧入時の上下方向の位置精度が所望に確保できる。すなわち、圧入部６０で左右方向の位置精度を確保でき、位置矯正用突起７０によって上下方向の位置精度を確保できる。
【００２９】
例えば、特許文献１に開示の技術では、横方向に凸状の圧入部が二つあり、その圧入部の中央に縦方向の突起が設けられている。このため、端子を挿入する際に、一つ目の圧入部が先に挿入されたときに、上下方向の位置が定まらない状態（状態Ａ）での圧入となる。その後、縦方向の突起により圧入されるが、横圧入された状態Ａでの圧入であり、縦方向の位置矯正の効果が十分に発揮されないことがある。
【００３０】
一方、本実施形態では、横方向に凸状となっている圧入部６０の前側において、縦方向に突の位置矯正用突起７０（前側位置矯正用突起７０ａ）が設けられている。このため、圧入部６０がキャビティ部３０のキャビティ本体３１に入る前に、前側位置矯正用突起７０ａがキャビティ本体３１と接触することで、位置矯正がなされる。その後、保持力用の圧入部６０が挿入されるため、キャビティ本体３１内における位置精度を高くすることができる。また、前後方向に二つ同じ方向に凸状に形成される位置矯正用突起７０（前側位置矯正用突起７０ａ、後側位置矯正用突起７０ｂ）を設けているため、「圧入部６０の中央かつ上下方向」に突起を設ける構成と比較して、キャビティ本体３１の壁面に沿った位置矯正をすることができ、得られる位置精度が高い。
【００３１】
以上、本発明を実施形態をもとに説明した。この実施形態は例示であり、それらの各構成要素及びその組合せにいろいろな変形例が可能なこと、またそうした変形例も本発明の範囲にあることは当業者に理解されるところである。例えば、圧入部６０の突出方向は左右方向でなく上下方向でもよく、それに対応してキャビティ部３０の構造が定まる。
【符号の説明】
【００３２】
１０  コネクタ
２０  ハウジング
３０  キャビティ部
３１  キャビティ本体
３２  挿入ガイド部
３２ａ  第１ガイド部
３２ｂ  第２ガイド部
５０  角線端子
５１  端子本体
５２  側面部
５３  上面部
５４  下面部
５６、５７  凹部
６０  圧入部
６１  第１圧入部
６１ａ  第１上側圧入部
６１ｂ  第１下側圧入部
６２  第２圧入部
６２ａ  第２上側圧入部
６２ｂ  第２下側圧入部
７０  位置矯正用突起
７０ａ  前側位置矯正用突起
７０ｂ  後側位置矯正用突起
７１  曲状凹部
【図１】
2016024857.tif 000003
【図２】
2016024857.tif 000004
【図３】
2016024857.tif 000005
【図４】
2016024857.tif 000006
【図５】
2016024857.tif 000007
【図６】
2016024857.tif 000008
【図７】
2016024857.tif 000009
【図８】
2016024857.tif 000010
【図９】
2016024857.tif 000011